【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
第１のユーザのジェスチャを検出する手段と、
前記ジェスチャと、第１のコミュニケーションセッションとに関連付けられた、第１のメッセージを、前記ジェスチャに基づいて判定する手段と、
前記ジェスチャと、第２のコミュニケーションセッションとに関連付けられた、第２のメッセージを、前記ジェスチャに基づいて判定する手段と、
前記第１のメッセージを、前記第１のコミュニケーションセッションに出力し、前記第２のメッセージを、前記第２のコミュニケーションセッションに出力する手段と、
として、コンピュータを機能させるためのジェスチャ処理プログラム。
【請求項２】
前記第１のコミュニケーションセッションは、前記第１のユーザと、第２のユーザとの間の、ネットワークを介した、第１の電子コミュニケーションセッションであり、前記第２のコミュニケーションセッションは、前記第１のユーザと、第３のユーザとの間の、ネットワークを介した、第２の電子コミュニケーションセッションである、請求項１に記載のジェスチャ処理プログラム。
【請求項３】
前記第１の電子コミュニケーションセッション、及び前記第２の電子コミュニケーションセッションのうちの、少なくとも１つは、インスタントメッセージングコミュニケーションセッションである、請求項２に記載のジェスチャ処理プログラム。
【請求項４】
前記第１の電子コミュニケーションセッションは、前記第１のユーザと、前記第２のユーザとの間の、第１のアプリケーションプログラムを介した、コミュニケーションセッションであり、前記第２の電子コミュニケーションセッションは、前記第１のユーザと、前記第３のユーザとの間の、第２のアプリケーションプログラムを介した、コミュニケーションセッションである、請求項２に記載のジェスチャ処理プログラム。
【請求項５】
イベントの発生を検出する手段、
として前記コンピュータをさらに機能させ、
前記第１のメッセージを判定する手段は、前記ジェスチャと、前記第１のコミュニケーションセッションとに関連付けられた、前記第１のメッセージを、前記ジェスチャと、前記イベントの前記発生とに基づいて判定し、
前記第２のメッセージを判定する手段は、前記ジェスチャと、前記第２のコミュニケーションセッションとに関連付けられた、前記第２のメッセージを、前記ジェスチャと、前記イベントの前記発生とに基づいて判定する、
請求項１に記載のジェスチャ処理プログラム。
【請求項６】
前記イベントの発生は、前記第１のユーザの付近における客の存在の検出、及び、前記第１のユーザによる、新たなコミュニケーションセッションへの参加の開始、のうちの少なくとも１つを含む、請求項５に記載のジェスチャ処理プログラム。
【請求項７】
前記イベントの発生は、前記第１のコミュニケーションセッション、及び前記第２のコミュニケーションセッションへの、前記第１のユーザの参加の中断を含む、請求項５に記載のジェスチャ処理プログラム。
【請求項８】
前記第１のコミュニケーションセッションは、前記第１のユーザと、第２のユーザとの間の、コミュニケーションセッションであり、前記第２のコミュニケーションセッションは、前記第１のユーザと、第３のユーザとの間の、ネットワークを介した、コミュニケーションセッションであり、
前記第２のユーザの識別情報と、前記第３のユーザの識別情報とを判定する手段、
として前記コンピュータをさらに機能させ、
前記第１のメッセージを判定する手段は、前記ジェスチャと、前記第１のコミュニケーションセッションとに関連付けられた、前記第１のメッセージを、前記ジェスチャと、前記第２のユーザの前記識別情報とに基づいて判定し、
前記第２のメッセージを判定する手段は、前記ジェスチャと、前記第２のコミュニケーションセッションとに関連付けられた、前記第２のメッセージを、前記ジェスチャと、前記第３のユーザの前記識別情報とに基づいて判定する、
請求項１に記載のジェスチャ処理プログラム。
【請求項９】
第１のユーザのジェスチャを検出する手段と、
前記ジェスチャと、第２のユーザとに関連付けられた、第１のメッセージを、前記ジェスチャに基づいて判定する手段と、
前記ジェスチャと、第３のユーザとに関連付けられた、第２のメッセージを、前記ジェスチャに基づいて判定する手段と、
前記第１のメッセージを、前記第１のユーザと、前記第２のユーザとの間の、第１のコミュニケーションセッションに出力し、前記第２のメッセージを、前記第１のユーザと、前記第３のユーザとの間の、第２のコミュニケーションセッションに出力する手段と、
としてコンピュータを機能させるためのジェスチャ処理プログラム。
【請求項１０】
前記第１のコミュニケーションセッションは、前記第１のユーザと、前記第２のユーザとの間の、ネットワークを介した、第１の電子コミュニケーションセッションであり、前記第２のコミュニケーションセッションは、前記第１のユーザと、前記第３のユーザとの間の、ネットワークを介した、第２の電子コミュニケーションセッションである、請求項９に記載のジェスチャ処理プログラム。
【請求項１１】
前記第１の電子コミュニケーションセッション、及び前記第２の電子コミュニケーションセッションのうちの、少なくとも１つは、インスタントメッセージングコミュニケーションセッションである、請求項１０に記載のジェスチャ処理プログラム。
【請求項１２】
前記第１の電子コミュニケーションセッションは、前記第１のユーザと、前記第２のユーザとの間の、第１のアプリケーションプログラムを介した、コミュニケーションセッションであり、前記第２の電子コミュニケーションセッションは、前記第１のユーザと、前記第３のユーザとの間の、第２のアプリケーションプログラムを介した、コミュニケーションセッションである、請求項１０に記載のジェスチャ処理プログラム。
【請求項１３】
第１のユーザの非慣例的ジェスチャを定義する手段と、
前記非慣例的ジェスチャを、メッセージと関連付ける手段と、
前記第１のユーザの前記非慣例的ジェスチャを検出する手段と、
前記非慣例的ジェスチャの検出に応えて、前記非慣例的ジェスチャと関連付けられた前記メッセージを、前記第１のユーザと、第２のユーザとの間の、コミュニケーションセッションに出力する手段と、
としてコンピュータを機能させるためのジェスチャ処理プログラム。
【請求項１４】
前記非慣例的ジェスチャは、前記第１のユーザと、前記第２のユーザとの間の、非言語的コミュニケーションと関連付けられていないジェスチャである、請求項１３に記載のジェスチャ処理プログラム。
【請求項１５】
前記非慣例的ジェスチャを検出する手段は、前記第１のユーザの前記非慣例的ジェスチャを、前記第１のユーザが前記コミュニケーションセッションに参加している間に検出する、請求項１４に記載のジェスチャ処理プログラム。
【請求項１６】
前記非慣例的ジェスチャは、前記第１のユーザと、前記第２のユーザとの間で、メッセージを運ぶための、前記第２のユーザによって理解されないジェスチャである、請求項１３に記載のジェスチャ処理プログラム。
【請求項１７】
前記非慣例的ジェスチャを検出する手段は、前記第１のユーザの前記非慣例的ジェスチャを、前記第１のユーザが前記コミュニケーションセッションに参加している間に検出する、請求項１６に記載のジェスチャ処理プログラム。
【請求項１８】
前記非慣例的ジェスチャを定義する手段は、
前記第１のユーザの前記非慣例的ジェスチャを記録し、
前記第１のユーザの前記非慣例的ジェスチャを記憶する、
請求項１３に記載のジェスチャ処理プログラム。
【請求項１９】
前記非慣例的ジェスチャを記憶することは、
前記第１のユーザの身体部分の、動き、及び位置のうちの、少なくとも１つを、前記非慣例的ジェスチャとして割り当て、
前記第１のユーザの前記身体部分の、前記動き、及び前記位置のうちの、前記少なくとも１つを表す座標を記憶する、
ことを含む、請求項１８に記載のジェスチャ処理プログラム。
【請求項２０】
第１のユーザの非慣例的ジェスチャを定義する手段と、
前記非慣例的ジェスチャを、前記第１のユーザと第２のユーザとの間のコミュニケーションセッションを提供するアプリケーションのコマンドと関連付ける手段と、
前記第１のユーザの前記非慣例的ジェスチャを検出する手段と、
前記非慣例的ジェスチャの検出に応えて、前記非慣例的ジェスチャと関連付けられた前記コマンドを、前記アプリケーションに出力し、前記アプリケーションの機能を実行する手段と、
としてコンピュータを機能させるためのジェスチャ処理プログラムであって、
前記コマンドは、前記アプリケーションの機能を前記アプリケーションに実行させる、
ジェスチャ処理プログラム。
【請求項２１】
前記アプリケーションは、インスタントメッセージングアプリケーションであり、前記コマンドは、前記アプリケーション内での、前記第１のユーザのステータスを設定するためのコマンドである、請求項２０に記載のジェスチャ処理プログラム。